(57)【要約】      （修正有）【課題】複数の椅子や浴用車椅子に共用できるシャワーシステムを提供する。【解決手段】シャワーシステム１は、上下両端部が浴室２に固定された支持体１０と、支持体１０に上下動自在に配置された本体４２と、本体４２に支持された左右一対のシャワーアーム４３Ａ，４３Ｂと、を備えている。より好ましくは、支持体１０は、上下方向に延びる棒状に形成されている。さらにより好ましくは、左右一対のシャワーアーム４３Ａ，４３Ｂは、軸線まわりに回転可能に本体４２に支持され、軸線は上方に向かうに従い互いに離間するように傾斜している。【選択図】図１
2019198584.tif 000002
【特許請求の範囲】
【請求項１】
上下両端部が浴室に固定された支持体と、
前記支持体に上下動自在に配置された本体と、
前記本体に支持された左右一対のシャワーアームと、を備えているシャワーシステム。
【請求項２】
前記支持体は、上下方向に延びる棒状に形成されている請求項１に記載のシャワーシステム。
【請求項３】
前記左右一対のシャワーアームは、軸線まわりに回転可能に前記本体に支持され、
前記軸線は上方に向かうに従い互いに離間するように傾斜している請求項１または２に記載のシャワーシステム。
【発明の詳細な説明】
【技術分野】
【０００１】
本発明は、シャワーシステムに関する。
【背景技術】
【０００２】
従来から、例えばシャワー浴などに用いられるシャワーシステムとして、下記特許文献１に記載の構成が知られている。このシャワー装置は、椅子にシャワー機能が一体に設けられている。
【先行技術文献】
【特許文献】
【０００３】
【特許文献１】特開平９−１２２０３５号公報
【発明の概要】
【発明が解決しようとする課題】
【０００４】
前記従来のシャワーシステムは、複数の椅子や浴用車椅子に共用できない。
【０００５】
本発明は、前述した事情に鑑みてなされたものであって、複数の椅子や浴用車椅子に共用することを目的とする。
【課題を解決するための手段】
【０００６】
前記課題を解決するために、本発明は以下の手段を提案している。
本発明に係るシャワーシステムは、上下両端部が浴室に固定された支持体と、前記支持体に上下動自在に配置された本体と、前記本体に支持された左右一対のシャワーアームと、を備えている。
【０００７】
支持体の上下両端部が浴室に固定されている。したがって、支持体を浴室に固定した状態で、支持体から独立した複数の椅子や浴用車椅子を適宜、支持体に近づけたり遠ざけたりすることができる。
左右一対のシャワーアームが、本体を介して支持体に固定されている。したがって、例えば、椅子や浴用車椅子上の使用者が左右一対のシャワーアームの間に位置するように、椅子や浴用車椅子を支持体に近づけた上で、シャワーアームからシャワーを噴射することで、使用者に対してシャワー浴を実施することができる。
本体が支持体に上下動自在に配置されている。したがって、シャワーアームを、本体を介して上下動させることができる。これにより、例えば、椅子や浴用車椅子を支持体に近づけたり遠ざけたりするときに、シャワーアームを上方に退避させておき、シャワーアームが椅子や浴用車椅子の移動の邪魔になるのを防止すること等ができる。
以上から、このシャワーシステムによれば、複数の椅子や浴用車椅子に共用することができる。
【０００８】
ところで、温水のシャワー浴を目的としてシャワーアームからシャワーを噴射し始めたときであっても、開始直後には、シャワーアーム内に残留していた冷水が噴射され、使用者が冷水を浴びる可能性がある。
しかしながら、このシャワーシステムによれば、使用者が冷水を浴びるのを避けるために、予めシャワーアームからシャワーを一定量、噴射し、かつ、シャワーアームを前述のように退避させておくことができる。その後、シャワーとして冷水ではなく温水が噴射されることが確認されてから、椅子や浴用車椅子を支持体に近づけることができる。これにより、使用者が冷水を浴びることを防止することができる。
【０００９】
なお、シャワーアームが立位の使用者に対して上方に位置可能な程度、本体が上昇可能である場合、椅子や浴用車椅子に座った座位の使用者のみならず、立位の使用者に対しても、シャワー浴を実施することができる。
【００１０】
前記支持体は、上下方向に延びる棒状に形成されていてもよい。
【００１１】
支持体が、上下方向に延びる棒状に形成されている。したがって、例えば、支持体の水平方向の大きさ（浴室における専有面積）を小さく抑えることが可能になり、シャワーシステムの設置位置の自由度を高めること等ができる。例えば、支持体の下端部を浴槽の縁に固定した場合などには、浴槽内で入浴中の使用者に対してシャワー浴を実施することができる。この場合、浅い浴槽であっても温浴効果を得やすくなることから、例えば、浴槽を低くして高齢者が跨ぎ易い浴槽を実現すること等ができる。
【００１２】
前記左右一対のシャワーアームは、軸線まわりに回転可能に前記本体に支持され、前記軸線は上方に向かうに従い互いに離間するように傾斜していてもよい。
【発明の効果】
【００１３】
本発明によれば、複数の椅子や浴用車椅子に共用することができる。
【図面の簡単な説明】
【００１４】
【図１】本発明の一実施形態のシャワーシステムにおいて、両シャワーアームが使用状態のときの斜視図である。
【図２】図１に示すシャワーシステムの側面図である。
【図３】図１に示すシャワーシステムの正面図である。
【図４】図１に示すシャワーシステムにおいて、両シャワーアームが退避状態のときの側面図である。
【図５】図４に示すシャワーシステムの正面図である。
【図６】図１にシャワーシステムにおいて、両シャワーアームが跳ね上げ状態のときの側面図である。
【図７】図１に示すシャワーシステムを用いて使用者がシャワーを浴びている状態を説明する斜視図である。
【図８】図１に示すシャワーシステムにおいて、立位の使用者がシャワーを浴びることができる程度、本体を上昇させた状態を示す斜視図である。
【図９】図１に示すシャワーシステムを浴槽に配置した状態を示す斜視図である。
【図１０】図１に示すシャワーシステムの変形例を示す斜視図である。
【発明を実施するための形態】
【００１５】
以下、図１から図９を参照し、本発明の一実施形態に係るシャワーシステム１を説明する。
例えば、身体機能が低下した高齢者などにとって、浴室２における浴槽３の内外の移動が困難な場合がある。この場合、浴槽３内で温浴するのに代えて、浴室２における洗い場でシャワーによって身体を温めるシャワー浴を実施することがある。シャワー浴を実施するに際し、シャワーシステム１を利用することで、例えば、一般的なシャワーヘッドを利用する場合に比べて、身体を温め易くすることができる。
【００１６】
図１に示すように、シャワーシステム１は、上下両端部が浴室２に固定された支持体１０と、支持体１０に上下動自在に配置された本体４２と、本体４２に回動自在に支持された左右一対のシャワーアーム４３Ａ，４３Ｂと、を備えている。
支持体１０は、一対の支持部材１０ａを備えている。各支持部材１０ａは、上下方向Ｚに延びる棒状に形成されている。一対の支持部材１０ａは、互いに平行に配置されている。
【００１７】
一対の支持部材１０ａの上下両端部は、浴室２の床パネル２ａ（床面）および天井パネル２ｂ（天井）それぞれに固定されている。図示の例では、各支持部材１０ａが、上下方向Ｚに伸縮自在に形成され、かつ伸縮された任意の長さを保持可能に形成されている。各支持部材１０ａは、床パネル２ａと天井パネル２ｂとの間で、床パネル２ａと天井パネル２ｂとの間の距離よりも若干長く延ばされた状態でその長さを保持している。これにより、各支持部材１０ａの上下両端部が床パネル２ａや天井パネル２ｂに突き当てられて固定されている。
【００１８】
なお図示の例では、各支持部材１０ａの上下両端部と、床パネル２ａや天井パネル２ｂと、の間には、緩衝板１０ｂが配置されている。緩衝板１０ｂは、各支持部材１０ａの上下両端部と、床パネル２ａや天井パネル２ｂと、が強く当たりすぎることを抑えて、各支持部材１０ａからの荷重が床パネル２ａや天井パネル２ｂの特定箇所に集中して作用することを緩和する。
【００１９】
本実施形態では、一対の支持部材１０ａは、床パネル２ａと天井パネル２ｂとを接続する壁パネル２ｃ（側壁）に対して平行に並んでいる。以下では、水平方向のうち、一対の支持部材１０ａが並ぶ方向を左右方向Ｘ（第１方向）といい、左右方向Ｘに直交する方向を前後方向Ｙ（第２方向）という。前後方向Ｙのうち、支持体１０に対して壁パネル２ｃが位置する方向を後側Ｙ２といい、その反対側を前側Ｙ１という。左右方向Ｘのうち、使用者Ｐが前側Ｙ１を向いたときの右側を右側Ｘ１といい、左側を左側Ｘ２という。
【００２０】
支持部材１０ａの前方、少なくとも５０ｃｍ四方の領域には、カウンターや水栓がない。具体的には、支持部材１０ａ後方側の壁パネル２ｃには、カウンターと水栓が設けられていない。よって、後述するように支持部材１０ａの前方に椅子１１を置くことができる。
【００２１】
一対の支持部材１０ａは、本体４２を上下方向Ｚに貫通している。本体４２は、支持体１０に対して、上下動が許容された第１の状態と、上下動が規制された第２の状態と、を切換え可能に装着されている。この切換えを実現する図示しない切換え機構には、公知の構成を採用することができる。例えば、支持体１０に上下方向Ｚに間隔をあけて複数の第１開口を形成しておき、かつ、本体４２に第２開口を形成しておき、複数の第１開口のうちの１つの第１開口に第２開口を位置合わせした状態で、これらの両開口に共通してピン部材を差し込むことで、第２の状態にする構成を採用してもよい。
【００２２】
本体４２の内部には、図示しない通水路が設けられている。通水路の一端は流入口であり、通水路の他端は流出口である。流入口は本体４２に後面に設けられている。通水路は流入口から流出口に向けて分岐しており、通水路の途中には２又分岐が設けられている。流出口はシャワーアーム４３Ａ，４３Ｂにつながっている。
前記流入口には接続部４４が設けられている。接続部４４は、例えば、ホース１０３等が着脱可能に接続されるコネクタである。接続部４４は、本体４２の後面に固定されている。接続部４４には、ホース１０３を介して外部から水Ｗが供給される。接続部４４に供給された水Ｗは、本体４２内（通水路内）を通して、シャワーアーム４３Ａ，４３Ｂに供給される。なお、本明細書における水Ｗは、温度が高い、低いによらない一般的な水のことを意味し、常温の水、及びシャワー等に用いられる温度の湯等を含む意味である。
【００２３】
一対のシャワーアーム４３Ａ，４３Ｂは、鈍角で曲がるへの字状の管体である第１シャワーアーム（第１腕部）４３Ａ及び第２シャワーアーム（第２腕部）４３Ｂを備えている。シャワーアーム４３Ａ，４３Ｂの内部には、軸方向に沿って通水路が形成されている。なお、図１に示すシャワーアーム４３Ａ，４３Ｂは、後述する使用状態Ｐ１Ａ，Ｐ１Ｂである。
シャワーアーム４３Ａ，４３Ｂは、本体４２を左右方向Ｘに挟むように配置されている。第１シャワーアーム４３Ａは本体４２の右側Ｘ１に配置され、第２シャワーアーム４３Ｂは本体４２の左側Ｘ２に配置されている。
【００２４】
図２及び図３に示すように、第１シャワーアーム４３Ａは、先端部材（先端部）４６Ａと、連結部材（連結部）４７Ａと、基端部材（基端部）４８Ａと、を備えている。
先端部材４６Ａは、先端部が封止された管状に形成されている。先端部材４６Ａは、例えば、アクリロニトリル・ブタジエン・スチレン樹脂（ＡＢＳ）樹脂、ポリプロピレン（ＰＰ）樹脂等の比較的硬質の材料で形成されている。先端部材４６Ａは、前方Ｙ１に向かうに従い漸次、下方に向かうように傾斜している。図７に示すように、先端部材４６Ａには、先端部材４６Ａの壁部を貫通する吐出孔５０Ａが形成されている。吐出孔５０Ａは、先端部材４６Ａの内部、すなわち通水路に供給された水Ｗを外部に吐出する。
【００２５】
図２及び図３に示すように、連結部材４７Ａは、円筒状に形成され、前方Ｙ１と上方との間の向きに向かって凸となるように湾曲している。連結部材４７Ａは、例えば、エラストマー、軟質ウレタン、ゴム等の比較的軟質の材料で一体に形成されている。
基端部材４８Ａは、管状に形成されている。基端部材４８Ａには、先端部材４６Ａと同様に吐出孔５０Ａが形成されていることが好ましい。基端部材４８Ａは、例えば、先端部材４６Ａと同一の材料で形成されている。
【００２６】
上記第１シャワーアーム４３Ａでは連結部材４７が屈曲形状であり、第１シャワーアーム４３Ａの全体がＬ字状に折れた形状である。また、先端部材４６Ａ及び基端部材４８Ａよりも、連結部材４７Ａの方が柔らかく、変形させやすい。
【００２７】
第１シャワーアーム４３Ａの構成と第２シャワーアーム４３Ｂの構成とは、シャワーアーム４３Ａ，４３Ｂの間に左右方向Ｘに直交するように規定される基準面に対して面対称である。第２シャワーアーム４３Ｂのうち第１シャワーアーム４３Ａに対応する構成を、第１シャワーアーム４３Ａと同一の数字に、英大文字「Ａ」に代えて英大文字「Ｂ」を付加することで示す。これにより、第２シャワーアーム４３Ｂについて、第１シャワーアーム４３Ａと重複する説明を省略する。
【００２８】
図１に示すように、第２シャワーアーム４３Ｂは、第１シャワーアーム４３Ａの先端部材４６Ａ、連結部材４７Ａ、基端部材４８Ａと面対称に構成された先端部材４６Ｂ、連結部材４７Ｂ、基端部材４８Ｂを備えている。
シャワーアーム４３Ａ，４３Ｂの基端部材４８Ａ，４８Ｂ間の距離は、使用者Ｐの肩幅程度の長さであることが好ましい。
【００２９】
第１シャワーアーム４３Ａは、本体４２に対して軸線７０Ａ周りに回転可能に支持されている。軸線７０Ａは、図３に示すシャワーシステム１の正面視において、上方に向かうに従い漸次、右側Ｘ１に向かうように傾斜している。
第２シャワーアーム４３Ｂは、本体４２に対して軸線７０Ｂ周りに回転可能に支持されている。軸線７０Ｂは、図３に示すシャワーシステム１の正面視において、上方に向かうに従い漸次、左側Ｘ２に向かうように傾斜している。
【００３０】
軸線７０Ａ，７０Ｂは、上方に向かうに従い互いに離間するように、上下方向Ｚに対して互いに逆方向に傾いている。言い換えれば、軸線７０Ａ，７０Ｂは、上下方向Ｚに沿う基準線Ｌ３に対して互いに逆方向に傾いている。例えば、基準線Ｌ３と軸線７０Ａとが上方になす角度θＡは、６０°程度である。
【００３１】
図１から図３に示すシャワーアーム４３Ａ，４３Ｂは使用状態Ｐ１Ａ，Ｐ１Ｂである。図３に示す正面視において、シャワーアーム４３Ａ，４３Ｂが使用状態Ｐ１Ａ，Ｐ１Ｂであるときに、シャワーアーム４３Ａ，４３Ｂはそれぞれ上下方向Ｚに沿って延びるように配置されている。また、図２に示すように、使用状態Ｐ１Ａ，Ｐ１Ｂであるシャワーアーム４３Ａ，４３Ｂは、支持体１０よりも前方Ｙ１に向かって延びるように配置されている。図７に示すように、シャワーアーム４３Ａ，４３Ｂの吐出孔５０Ａ，５０Ｂは、シャワーアーム４３Ａ，４３Ｂが使用状態Ｐ１Ａ，Ｐ１Ｂであるときに、水Ｗが後方Ｙ２と下方との間の斜めの向き等に吐出するように形成されている。
【００３２】
シャワーアーム４３Ａ，４３Ｂは、使用状態Ｐ１Ａ，Ｐ１Ｂにおいて、自身の位置（軸線７０Ａ，７０Ｂ周りの回転角度）を保持可能に構成されている。シャワーアーム４３Ａ，４３Ｂは、使用状態Ｐ１Ａ，Ｐ１Ｂにおいて更なる軸線７０Ａ，７０Ｂ周りの回転力が自身に加えられたときに、位置の保持が解除されて他の状態に移行する。
【００３３】
シャワーアーム４３Ａ，４３Ｂが使用状態Ｐ１Ａ，Ｐ１Ｂのときから、シャワーアーム４３Ａ，４３Ｂの先端部材４６Ａ，４６Ｂが下がると、シャワーアーム４３Ａ，４３Ｂは図４及び図５に示す退避状態Ｐ０Ａ，Ｐ０Ｂになる。退避状態Ｐ０Ａ，Ｐ０Ｂであるときのシャワーアーム４３Ａ，４３Ｂは、使用者Ｐがシャワーアーム４３Ａ，４３Ｂを使用しないときの状態である。
図５に示すように、退避状態Ｐ０Ａ，Ｐ０Ｂであるときのシャワーアーム４３Ａ，４３Ｂは、下方に向かうに従い漸次、互いに左右方向Ｘに離間するように配置されている。シャワーアーム４３Ａ，４３Ｂは、全体としてハ字状（上下を逆にしたＶ字状）である。第１シャワーアーム４３Ａは、下方に向かうに従い漸次、右側Ｘ１に向かうように傾斜している。一方で、第２シャワーアーム４３Ｂは、下方に向かうに従い漸次、左側Ｘ２に向かうように傾斜している。
【００３４】
一方で、シャワーアーム４３Ａ，４３Ｂが使用状態Ｐ１Ａ，Ｐ１Ｂのときから、シャワーアーム４３Ａ，４３Ｂの先端部材４６Ａ，４６Ｂが上がると、図６に示す跳ね上げ状態Ｐ２Ａ，Ｐ２Ｂになる。跳ね上げ状態Ｐ２Ａ，Ｐ２Ｂは、使用者Ｐが使用状態Ｐ１Ａ，Ｐ１Ｂで使用していたシャワーアーム４３Ａ，４３Ｂの先端部材４６Ａ，４６Ｂを上方に移動させた（跳ね上げた）状態である。
【００３５】
次に、以上のように構成されたシャワーシステム１の使用方法について説明する。なお以下に示す使用方法は一例であり、他の方法により使用することもできる。また以下では、このシャワーシステム１に対して、外部から椅子１１を近づけて使用する場合について説明する。このシャワーシステム１では、支持体１０の前方Ｙ１に椅子１１を配置した状態で、使用者Ｐがシャワーアーム４３Ａ，４３Ｂからのシャワーを浴びることができる。椅子１１には、公知の浴用椅子を用いることができる。椅子１１は、浴室等でも使用可能なように、耐水性を有することが好ましい。椅子１１は、樹脂とアルミなどの金属とからできている。
【００３６】
まず、支持体１０に対して本体４２を上下動させ、シャワーアーム４３Ａ，４３Ｂの高さを調整するとともに、シャワーアーム４３Ａ，４３Ｂを退避状態Ｐ０Ａ，Ｐ０Ｂにする。この際、シャワーアーム４３Ａ，４３Ｂを退避状態Ｐ０Ａ，Ｐ０Ｂから使用状態Ｐ１Ａ，Ｐ１Ｂにしたときにシャワーアーム４３Ａ，４３Ｂが椅子１１に座る使用者Ｐの上方に位置するように、シャワーアーム４３Ａ，４３Ｂの高さを調整する。
【００３７】
図示しない水栓にホース１０３を接続し、このホース１０３を、接続部４４に接続する。水栓から出る水Ｗの温度を、例えば３５℃〜４０℃程度の所望の温度に設定し、水栓を開ける。水栓から流れ出る水Ｗは、当初は１５℃〜２５℃程度の常温である。水栓から流れ出る水Ｗは、ホース１０３、接続部４４、本体４２内を通して、シャワーアーム４３Ａ，４３Ｂに供給され、吐出孔５０Ａ，５０Ｂから外部に吐出する。退避状態Ｐ０Ａ，Ｐ０Ｂでのシャワーアーム４３Ａ，４３Ｂの吐出孔５０Ａ，５０Ｂは後方Ｙ２を向いているため、常温の水Ｗが使用者Ｐに掛かることが抑制される。
【００３８】
使用者Ｐは椅子１１に座る。一定の時間が経過すると、吐出孔５０Ａ，５０Ｂから吐出する水Ｗの温度が所望の温度になる。
図７に示すように、使用者Ｐは、シャワーアーム４３Ａ，４３Ｂの先端部材４６Ａ，４６Ｂを上げて、シャワーアーム４３Ａ，４３Ｂを使用状態Ｐ１Ａ，Ｐ１Ｂにする。シャワーアーム４３Ａ，４３Ｂの連結部材４７Ａ，４７Ｂが柔らかい場合には、使用者Ｐはシャワーアーム４３Ａ，４３Ｂの基端部材４８Ａ，４８Ｂを持ち上げてもよい。
【００３９】
使用者Ｐは、シャワーアーム４３Ａ，４３Ｂの吐出孔５０Ａ，５０Ｂから吐出する水Ｗを浴び、シャワーを浴びる。なお、使用者Ｐは、シャワーアーム４３Ａ，４３Ｂを退避状態Ｐ０Ａ，Ｐ０Ｂにして、自身の身体を洗ってもよい。この際に、シャワーアーム４３Ａ，４３Ｂが退避状態Ｐ０Ａ，Ｐ０Ｂであるため、シャワーアーム４３Ａ，４３Ｂが身体を洗う作業の支障になりにくい。
使用者Ｐは、シャワーを浴び終えると、シャワーアーム４３Ａ，４３Ｂを退避状態Ｐ０Ａ，Ｐ０Ｂにする。浴室２の水栓を閉じる。
【００４０】
仮に、シャワーアーム４３Ａ，４３Ｂを使用状態Ｐ１Ａ，Ｐ１Ｂにしてシャワーを浴びている使用者Ｐが、緊急事態が発生したためにシャワーシステム１からとっさに脱出する場合には、以下の手順を行う。
使用者Ｐは、手等により、使用状態Ｐ１Ａ，Ｐ１Ｂであるシャワーアーム４３Ａ，４３Ｂを持ち上げる（跳ね上げる）。使用者Ｐはシャワーアーム４３Ａ，４３Ｂにほぼ干渉することなく椅子１１から立ち上がり、シャワーシステム１から脱出する。また、使用者Ｐがシャワーシステム１から脱出する際に、シャワーアーム４３Ａ，４３Ｂの連結部材４７Ａ，４７Ｂを変形させ、先端部材４６Ａ，４６Ｂを所望の方向に曲げてもよい。
以上のように、緊急事態が発生した場合でも、使用者Ｐはシャワーシステム１から容易に脱出することができる。
【００４１】
なお、前述のシャワーシステム１や水栓を操作する使用者Ｐは、実際にシャワーを浴びてシャワーシステム１を使用する使用者Ｐ（以下、実際の使用者Ｐと言う）に限定されず、実際の使用者Ｐ（被介助者）の補助者としてシャワーシステム１を使用する介助者であってもよい。
すなわち、実際の使用者Ｐがシャワーシステム１等を操作するのが困難である場合には、介助者がシャワーシステム１の操作等を行う。
また、椅子１１に代えて浴用車椅子を近づけることも可能である。この場合、使用者Ｐが浴用車椅子に乗った状態で、介助者が浴用車椅子を支持体１０に近づけてもよい。
【００４２】
以上説明したように、本実施形態に係るシャワーシステム１によれば、支持体１０の上下両端部が浴室２に固定されている。したがって、支持体１０を浴室２に固定した状態で、支持体１０から独立した複数の椅子１１や浴用車椅子を適宜、支持体１０に近づけたり遠ざけたりすることができる。
左右一対のシャワーアーム４３Ａ，４３Ｂが、本体４２を介して支持体１０に固定されている。したがって、例えば、椅子１１や浴用車椅子上の使用者Ｐが左右一対のシャワーアーム４３Ａ，４３Ｂの間に位置するように、椅子１１や浴用車椅子を支持体１０に近づけた上で、シャワーアーム４３Ａ，４３Ｂからシャワーを噴射することで、使用者Ｐに対してシャワー浴を実施することができる。
本体４２が支持体１０に上下動自在に配置されている。したがって、シャワーアーム４３Ａ，４３Ｂを、本体４２を介して上下動させることができる。これにより、例えば、椅子１１や浴用車椅子を支持体１０に近づけたり遠ざけたりするときに、前述した使用方法とは異なり、シャワーアーム４３Ａ，４３Ｂを上方に退避させておき、シャワーアーム４３Ａ，４３Ｂが椅子１１や浴用車椅子の移動の邪魔になるのを防止すること等ができる。
以上から、このシャワーシステム１によれば、複数の椅子１１や浴用車椅子に共用することができる。
【００４３】
ところで、温水のシャワー浴を目的としてシャワーアーム４３Ａ，４３Ｂからシャワーを噴射し始めたときであっても、開始直後には、シャワーアーム４３Ａ，４３Ｂ内に残留していた冷水が噴射され、使用者Ｐが冷水を浴びる可能性がある。
しかしながら、このシャワーシステム１によれば、使用者Ｐが冷水を浴びるのを避けるために、予めシャワーアーム４３Ａ，４３Ｂからシャワーを一定量、噴射し、かつ、シャワーアーム４３Ａ，４３Ｂを前述のように退避させておくことができる。その後、シャワーとして冷水ではなく温水が噴射されることが確認されてから、椅子１１や浴用車椅子を支持体１０に近づけることができる。これにより、使用者Ｐが冷水を浴びることを防止することができる。
【００４４】
なお図８に示すように、シャワーアーム４３Ａ，４３Ｂが立位の使用者Ｐに対して上方に位置可能な程度、本体４２が上昇可能である場合、椅子１１や浴用車椅子に座った座位の使用者Ｐのみならず、立位の使用者Ｐに対しても、シャワー浴を実施することができる。
【００４５】
支持体１０が、上下方向Ｚに延びる棒状に形成されている。したがって、例えば、支持体１０の水平方向の大きさ（浴室２における専有面積）を小さく抑えることが可能になり、シャワーシステム１の設置位置の自由度を高めること等ができる。例えば図９に示すように、支持体１０の下端部を浴槽３の縁に固定した場合などには、浴槽３内で入浴中の使用者Ｐに対してシャワー浴を実施することができる。この場合、浅い浴槽３であっても温浴効果を得やすくなることから、例えば、浴槽３を低くして高齢者が跨ぎ易い浴槽３を実現すること等ができる。
【００４６】
左右一対のシャワーアーム４３Ａ，４３Ｂが、共通の１つの本体４２に支持されている。したがって、１つの本体４２を上下動させることで、一対のシャワーアーム４３Ａ，４３Ｂを一体に上下動させることが可能になり、例えば、操作性を向上させること等ができる。
【００４７】
なお、本発明の技術的範囲は前記実施形態に限定されるものではなく、本発明の趣旨を逸脱しない範囲において種々の変更を加えることが可能である。
【００４８】
例えば、図１０に示す変形例に係るシャワーシステム１Ａのように、シャワーシステム１Ａが、支持体に上下動自在に配置された座部４を備えてもよい。座部４は、支持体１０に上下動自在に配置されている。座部４は、本体４２よりも下方に位置している。座部４の上面（座面）には使用者Ｐが着座可能である。なお座部４が、支持体１０によって、左右方向Ｘに延びる回転軸回りに回転可能に支持されていてもよい。この場合、座部４を上方に向けて回転させて座部４の座面を支持体１０に対して前後方向Ｙに対向させる構成を実現することができる。その結果、座部４を使用しないときには、座部４の専有面積を小さく抑えることができる。
【００４９】
支持部材１０ａが棒状に形成されていなくてもよい。支持部材１０ａが１つや３つ以上であってもよい。
支持部材１０ａは必ずしも浴室２の上下端に固定されている必要はない。例えば、支持部材１０ａの上端が天井パネル２ｂに固定されているが、壁パネル２ｃの上端に固定されていてもよい。支持部材１０ａの下端が床パネル２ａに固定されているが、壁パネル２ｃの下端に固定されていてもよい。
浴室２は、ユニットバスでもよいし、在来工法による浴室であってもよい。
【００５０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５１】
１、１Ａ       シャワーシステム
２     浴室
１０   支持体
４２   本体
４３Ａ、４３Ｂ シャワーアーム
Ｌ３   基準線
【図１】
2019198584.tif 000003
【図２】
2019198584.tif 000004
【図３】
2019198584.tif 000005
【図４】
2019198584.tif 000006
【図５】
2019198584.tif 000007
【図６】
2019198584.tif 000008
【図７】
2019198584.tif 000009
【図８】
2019198584.tif 000010
【図９】
2019198584.tif 000011
【図１０】
2019198584.tif 000012